(57)【要約】【課題】土壌を均一にむらなく消毒することができる土壌消毒装置を提供する。【解決手段】消毒させるべき土壌７を収容し、入口２ａと出口２ｂとを有する消毒容器２と、該消毒容器２を軸線８廻りに回転させる回転手段３と、前記消毒容器２に投入させるべき磁性体片９を加熱するための加熱器４と、前記消毒容器２の出口２ｂに配置され、磁性を帯びた線材を網目状にしたふるい５と、前記線材に引き寄せられた前記磁性体片９を回収するための回収器６とを備えた。【選択図】図１
2011200127.tif 000002
【特許請求の範囲】
【請求項１】
消毒させるべき土壌を収容し、入口と出口とを有する消毒容器と、
該消毒容器を軸線廻りに回転させる回転手段と、
前記消毒容器に投入させるべき磁性体片を加熱するための加熱器と、
前記消毒容器の出口に配置され、磁性を帯びた線材を網目状にしたふるいと、
前記線材に引き寄せられた前記磁性体片を回収するための回収器とを備えたことを特徴とする土壌消毒装置。
【請求項２】
前記加熱器と前記消毒容器との間に配置され、前記磁性体片の投入量を制御するための制御器とをさらに備え、
該制御器は、前記磁性体片の投入個数を計測するための第１のカウンタを含むことを特徴とする請求項１に記載の土壌消毒装置。
【請求項３】
前記回収器は、回収された前記磁性体片の個数を計測するための第２のカウンタを有することを特徴とする請求項２に記載の土壌消毒装置。
【請求項４】
前記ふるいを通過した土壌を移送するための移送手段と、
該移送手段の途中に配置され、前記磁性体片を引き寄せるための磁石とをさらに備え、
前記磁石に引き寄せられた磁性体片は、前記回収器に回収されることを特徴とする請求項３に記載の土壌消毒装置。
【発明の詳細な説明】
【技術分野】
【０００１】
本発明は、土壌を効率よく消毒することができる土壌消毒装置に関するものである。
【背景技術】
【０００２】
土壌を加熱して消毒する方法が特許文献１に開示されている。この土壌の加熱消毒方法は、土壌に未酸化の鉄分等の金属粉を混ぜ、金属粉が酸化するときに発生する反応熱で土壌を加熱し、消毒するものである。しかしながら、特許文献１は、金属粉体を用いるため、取扱い性が悪い。また、金属粉体の土壌に対する分布が偏っていた場合、消毒効率にもばらつきが生じることになる。
【先行技術文献】
【特許文献】
【０００３】
【特許文献１】特開２００３−２１００９５号公報
【発明の概要】
【発明が解決しようとする課題】
【０００４】
本発明は、上記従来技術を考慮したものであって、土壌を均一にむらなく消毒することができる土壌消毒装置を提供することを目的とする。
【課題を解決するための手段】
【０００５】
前記目的を達成するため、請求項１の発明では、消毒させるべき土壌を収容し、入口と出口とを有する消毒容器と、該消毒容器を軸線廻りに回転させる回転手段と、前記消毒容器に投入させるべき磁性体片を加熱するための加熱器と、前記消毒容器の出口に配置され、磁性を帯びた線材を網目状にしたふるいと、前記線材に引き寄せられた前記磁性体片を回収するための回収器とを備えたことを特徴とする土壌消毒装置を提供する。
【０００６】
請求項２の発明では、前記加熱器と前記消毒容器との間に配置され、前記磁性体片の投入量を制御するための制御器とをさらに備え、該制御器は、前記磁性体片の投入個数を計測するための第１のカウンタを含むことを特徴としている。
【０００７】
請求項３の発明では、前記回収器は、回収された前記磁性体片の個数を計測するための第２のカウンタを有することを特徴としている。
請求項４の発明では、前記ふるいを通過した土壌を移送するための移送手段と、該移送手段の途中に配置され、前記磁性体片を引き寄せるための磁石とをさらに備え、前記磁石に引き寄せられた磁性体片は、前記回収器に回収されることを特徴としている。
【発明の効果】
【０００８】
請求項１の発明によれば、土壌に加熱された磁性体片を投入し、これを消毒容器内で回転させながら消毒できるので、土壌に対してむらなく磁性体片の殺菌効果を及ぼすことができる。この磁性体片を球状の鉄片とすれば、取扱い性が向上する。また、消毒容器の出口で磁性体片はふるいを形成する線材に引き寄せられるので、磁性体片が混入されたまま土壌が排出されることを防止できる。
【０００９】
請求項２の発明によれば、制御器をさらに備えることで、土壌に対する与熱量のコントロールが容易となる。また、このときの磁性体片の個数を計測することで、与熱量と殺菌効力との関係を知ることができる。
請求項３の発明によれば、回収された磁性体片の個数を計測する第２のカウンタを用いることで、磁性体片の投入個数と比較して、磁性体片が確実に回収されたか否かを知ることができる。このため、磁性体片が土壌に混入されたままの状態を防止でき、土壌の品質管理に役立つ。
【００１０】
請求項４の発明によれば、移送手段の途中に磁石を配し、この磁石に引き寄せられた磁性体片を回収器で回収することで、さらに確実に土壌に磁性体片が混合することを防止できる。回収された磁性体片は、第２のカウンタで計測されるので、磁性体片の投入個数と比較して、消毒された土壌に対する磁性体片の混合割合を算出することができ、土壌の品質管理に役立つ。また、土壌に磁性体が混合することを確実に防止できる。
【図面の簡単な説明】
【００１１】
【図１】本発明に係る土壌消毒装置の概略図である。
【発明を実施するための形態】
【００１２】
図１に示すように、本発明に係る土壌消毒装置１は、消毒容器２と、回転手段３と、加熱器４と、ふるい５と、回収器６とを備えている。消毒容器２は、略円筒形状であり、入口２ａ及び出口２ｂとを含んでいる。図では、出口２ｂの径が入口２ａの径より小さいものを示しているが、これに限定されない。この消毒容器２内に、消毒させるべき土壌７が収容される。土壌７は、入口２ａから投入される。この消毒容器２は、回転軸廻りに回転可能である。具体的には、軸線８廻りに回転する。ただし、回転軸を消毒容器２に対して偏心した位置に配置してもよい。軸線８に回転手段３が接続されている。この回転手段３を駆動させることで、消毒容器２は軸線８廻り（矢印Ｒ方向）に回転する。回転手段３としては、例えばモータ等があるが、手動で回してもよい。
【００１３】
消毒容器２には、土壌７の他に磁性体片９が収容されている。具体的には、土壌７中に磁性体片９が混入されている。この磁性体片９は、加熱器４にて予め加熱されている。消毒容器２内投入された加熱後の磁性体片９は、土壌７に混入される。なお、図では消毒容器２の周壁を開口させて投入口１０を設け、この投入口１０を塞ぐ蓋１１を開けてここから磁性体片９を消毒容器２内に投入する構造としている。しかしながら、磁性体片９は土壌７と同様に入口２ａから投入してもよい。この状態で、消毒容器２を回転させることで、磁性体片９は土壌７中を移動する。磁性体片９は加熱されているので、その熱により土壌を消毒（殺菌）する。このため、土壌７に対してむらなく磁性体片９の殺菌効果を及ぼすことができる。この磁性体片９を球状の鉄片（例えばパチンコ玉）とすれば、鉄を加熱することで遠赤外線の波長が発せられるため、消毒効果が向上する。後述する磁性体片９の個数を計測する観点、あるいは取扱い性の容易さの観点から、球状の鉄片たる鉄玉を用いることが好ましい。
【００１４】
消毒容器２の出口２ｂには、ふるい５が取り付けられている。このふるい５は、磁性を帯びた線材を網目状にして形成されている。したがって、土壌７とともにふるい５を通過しようとする磁性体片９は、このふるい５に引き寄せられる。これにより、磁性体片９が混入されたまま土壌７が排出されることを防止できる。ふるい５に吸着した磁性体片９は、適宜回収される。回収された磁性体片９は、回収器６に収容される。磁性体片９は再利用することができる。
【００１５】
一方、加熱器４と消毒容器２との間には、投入量制御器１２が配置されている。投入量制御器１２は、消毒容器２内に投入される磁性体片９の量を制御するものである。例えば、投入される磁性体片９の個数が制御される。この投入個数は、投入量制御器１２に備わる第１のカウンタ１３にて計測される。このように、制御器１２をさらに備えることで、土壌７に対する与熱量のコントロールが容易となる。また、第１のカウンタ１３により磁性体片９の個数を計測することで、与熱量と殺菌効力との関係を知ることができる。さらに、回収器６に第２のカウンタ１４を設け、ここで回収された磁性体片９の個数を計測してもよい。これにより、磁性体片９の投入個数と比較して、磁性体片９が確実に回収されたか否かを知ることができる。このため、磁性体片９が土壌７に混入されたままの状態を防止でき、土壌７の品質管理に役立つ。
【００１６】
消毒容器２で磁性体片９により消毒された土壌７は、ふるい５を通過して、移送手段たるコンベヤ１５に載置され、矢印Ｆ方向に移送される。コンベヤ１５の途中には、磁石１６が配置されている。この磁石１６にて、ふるい５にて回収されなかった磁性体片９を引き寄せて回収する。回収された磁性体片９は、第２のカウンタ１４にてその個数を計測され、回収器６内に回収される。このように、移送手段１５の途中に磁石１６を配し、この磁石１６に引き寄せられた磁性体片９を回収器６で回収することで、さらに確実に土壌７に磁性体片９が混合することを防止できる。このように、消毒容器２にて消毒された土壌７を移送する途中の段階で、さらに磁性体片９を回収する手段を設けることにより、確実に土壌７に不純物が混入されることを防止できる。このことは、装置が大型化したとしても不純物の確実な混入防止の観点から必要であれば設けるべきである。回収された磁性体片９は、第２のカウンタ１４で計測されるので、磁性体片９の投入個数と比較して、磁性体片９が確実に回収されたか否かを知ることができる。このため、磁性体片９が土壌７に混入されたままの状態を確実に防止でき、土壌７の品質管理に役立つ。消毒された土壌７は、容器１７に収容される。
【００１７】
なお、消毒効果をさらに高めるため、消毒容器２を重ねて複数回消毒してもよいし、一つの消毒容器２を繰り返し使用してもよい。さらには、消毒容器２を大型化してもよいし、用途に応じて小型のものを用いてもよい。また、磁性体片９の消毒効果を高めるため、消毒容器２自体を加熱してもよい。本発明に係る消毒装置１での消毒は、化学処理を必要としていないので、特に農産物にかかわる土壌を消毒することに適している。
【符号の説明】
【００１８】
１  土壌消毒装置
２  消毒容器
２ａ  入口
２ｂ  出口
３  回転手段
４  加熱器
５  ふるい
６  回収器
７  土壌
８  軸線
９  回転手段
１０  投入口
１１  蓋
１２  投入量制御器
１３  第１のカウンタ
１４  第２のカウンタ
１５  コンベヤ
１６  磁石
１７  容器
【図１】
2011200127.tif 000003